(57)【要約】      （修正有）【課題】握り寿司や巻き寿司などのすし類を、すしの形状を壊すことなく容易かつ適正なマナーでつかむことのできるすし箸を提供する。【解決手段】一対の第１棒状体２と第２棒状体３とを備えてなり、すし類をつかむのに適したすし箸１であって、第１棒状体２と第２棒状体３の一対の対向面の一方１６に、略逆Ｕ字型をなす弾性体１５の一端１８を固着し、対向面の他方１７に、弾性体１５の他端１９を固着し、すし箸１を放置すると、第１棒状体２と第２棒状体３の先端部５、６は、広がり後端部７、８は狭まるように、弾性体１５は、第１棒状体２と第２棒状体３を接続し、第１棒状体２と第２棒状体３の前端縁２１、２２が形成する仮想平面に対して、第１棒状体２と第２棒状体３のそれぞれの先端は、屈曲部４を基点として上方かつ同一方向に屈曲している。【選択図】図１
0003142220.tif 000002
【実用新案登録請求の範囲】
【請求項１】
一対の第１棒状体と第２棒状体とを備えてなり、すし類をつかむのに適したすし箸であって、
前記第１棒状体と前記第２棒状体の一対の対向面の一方に、略逆Ｕ字型をなす弾性体の一端を固着し、前記対向面の他方に、前記弾性体の他端を固着し、
前記すし箸を放置すると、前記第１棒状体と前記第２棒状体の先端部は広がり、後端部は狭まるように、前記弾性体は、前記第１棒状体と前記第２棒状体を接続し、
前記第１棒状体と前記第２棒状体の前端縁が形成する仮想平面に対して、前記前記第１棒状体と前記第２棒状体のそれぞれの先端は、屈曲部を基点として上方かつ同一方向に屈曲しているすし箸。
【請求項２】
前記第１棒状体と前記第２棒状体は、使用時において、前記屈曲部において相互に接触可能で、前記先端部において離隔する請求項１記載のすし箸。
【請求項３】
前記屈曲部は、第１棒状体と前記第２棒状体のそれぞれの先端部から２ｃｍ〜３ｃｍの範囲に位置し、前記屈曲部の屈曲角度は、第１棒状体および第２棒状体に対して２５度から３５度である請求項１から２のいずれか記載のすし箸。
【考案の詳細な説明】
【技術分野】
【０００１】
本考案は、握り寿司や巻き寿司などのすし類をつかむのに適したすし箸に関するものである。
【背景技術】
【０００２】
食事においては、箸を使って食物をつかんで、口に運ぶ動作が行われる。通常の箸は、一対の棒状体の組からなっており、使用者は、箸の上部付近を握って箸の先端で食物をつまんで口に運ぶ。茶碗に盛られたご飯や皿に盛られたおかずなどであれば、使用者は通常の箸を使って、容易に食物をつかむことができる。
【０００３】
しかしながら、すし類特に握り寿司の場合にはネタとしゃりの部分があるが、通常の箸では、使用者は箸の先端部分でしゃりをつかむ。箸の先端はしゃりと接触する面積が非常に小さく、使用者は、すしをきちんとつかむために勢い力を入れざるを得ない。一方で、使用者の力は、箸の先端に集中することになるが、箸としゃりとの接触面積が小さいことから強い圧力がしゃりに加わり、しゃりが割れたり米粒が落ちたりするなどの問題が生じやすい。このような状態では、美味しいすしであっても、その食事を楽しむことができない。また、マナーの点でも問題がある。
【０００４】
箸については、様々な技術的提案がある（例えば、特許文献１参照）。
【特許文献１】特開２００２−３０６３０４号公報
【考案の開示】
【考案が解決しようとする課題】
【０００５】
ここで、特許文献１は、握り部と先端部とが所定の角度を有する箸を開示している。このように先端部が屈曲している箸であれば、すしのしゃりを両側面から把持できるので、しゃりが割れたりするのが防止できる。
【０００６】
しかし、特許文献１の図４には、箸の後端が接続された一体型の箸が開示されている。一般的に箸は、木材、竹材、樹脂などで製造されるので、後端が接続されている一体型の箸では、使用者は、箸の先端を合わせる（接触させる）のに大きな力を必要とする問題がある。これでは、すしをうまくつかむことができない。
【０００７】
更に、特許文献の図５、６には、筒状のカバーを２本の棒状体のそれぞれに被せて、カバー同士を繋ぐ弾性力を有する連結部で接続している箸が開示されている。しかし、カバーの中で棒状体のそれぞれは回転したり上下に動いたりする可能性が高い。このような場合には、箸を構成する棒状体のそれぞれが互い違いの方向を向く可能性がある。先端部までまっすぐである通常の箸であれば、カバーの中で棒状体が回転しても使用上の問題はない。しかし、先端部を屈曲させた箸であれば、カバーの中で棒状体が回転すると先端同士が高い違いの方向を向くこともあり、すしをつかむどころか、通常の食物ですらつかみにくいことも生じる問題がある。
【０００８】
特許文献１は、箸の先端を屈曲させることで、箸でつかんだ食物が使用者の口に近づきやすくなることを目的としているのであって、すしをつかむ際にしゃりが割れたりすることについては、考慮がされていないのであるから、すしをつかむ際の問題を解決できる技術ではない。例えば、特許文献１の箸は、図１〜６に示されるように棒状体のほぼ中央付近で屈曲されている。これは、つかんだ食物が口に近づきやすいようにするという特許文献１の目的に沿うものである。しかし、このように棒状体の中央付近から屈曲していては、屈曲部から先端までが非常に長く（言い換えると握り部から屈曲部までが非常に短い）、屈曲部より先に力を与えにくく、すしをつまみにくい問題がある。また、周囲からの見た目も悪くなる。当然ながら、すしよりも大きな部位ですしをつかむことになるので、しゃりを壊すことが生じやすい。
【０００９】
本考案は、握り寿司や巻き寿司などのすし類を、すしの形状を壊すことなく容易かつ適正なマナーでつかむことのできるすし箸を提供することを目的とする。
【課題を解決するための手段】
【００１０】
本考案は、一対の第１棒状体と第２棒状体とを備えてなり、すし類をつかむのに適したすし箸であって、第１棒状体と第２棒状体の一対の対向面の一方に、略逆Ｕ字型をなす弾性体の一端を固着し、対向面の他方に、弾性体の他端を固着し、すし箸を放置すると、第１棒状体と第２棒状体の先端部は、広がり後端部は狭まるように、弾性体は、第１棒状体と第２棒状体を接続し、第１棒状体と第２棒状体の前端縁が形成する仮想平面に対して、第１棒状体と第２棒状体のそれぞれの先端は、屈曲部を基点として上方かつ同一方向に屈曲している。
【００１１】
この構成により、使用者は、同一方向を向くように固定された屈曲した先端を、すし類の側面に沿って平行に添えて、容易かつ確実にすし類をつかむことができる。結果として、すし類を食すことを楽しむことができる。
【考案の効果】
【００１２】
本考案のすし箸により、すしの形状を壊したり、握り寿司のしゃりを割ったりすること無く、確実かつ容易にすし類をつかむことができる。
【００１３】
また、箸の先端であってすしの大きさ程度の長さで屈曲しているので、すしを押しつぶすこともない。さらに、このように屈曲しているため、すし箸の先端部に通常の箸よりも多量の醤油を付着させる（含ませる）ことができ、付着させた醤油をすしのネタに付け得る。この動作は、すしを食べる動作に連動しているし、通常の箸を用いてすしを食べる際、すし（特にしゃり）が破壊されることがあるが、本考案のすし箸によればそのようなおそれは少ない。従って、極めて円滑に食事を行えるし、加えて食事のマナーや行儀作法の面からも、見苦しいこともない。
【００１４】
また、弾性体は、箸の先端を広げると共に箸の後端を狭める弾性力を有するので、使用者は箸の先端を合わせる力を入れすぎることもなく、しゃりの破壊が更に適切に防止される。
【考案を実施するための最良の形態】
【００１５】
本考案の第１の考案に係るすし箸は、一対の第１棒状体と第２棒状体とを備えてなり、すし類をつかむのに適したすし箸であって、第１棒状体と第２棒状体の一対の対向面の一方に、略逆Ｕ字型をなす弾性体の一端を固着し、対向面の他方に、弾性体の他端を固着し、すし箸を放置すると、第１棒状体と第２棒状体の先端部は、広がり後端部は狭まるように、弾性体は、第１棒状体と第２棒状体を接続し、第１棒状体と第２棒状体の前端縁が形成する仮想平面に対して、第１棒状体と第２棒状体のそれぞれの先端は、屈曲部を基点として上方かつ同一方向に屈曲している。
【００１６】
この構成により、使用者は、同一方向を向くように固定された屈曲した先端を、すし類の側面に沿って平行に添えて、容易かつ確実にすし類をつかむことができる。
【００１７】
本考案の第２の考案に係るすし箸では、第１の考案に加えて、第１棒状体と第２棒状体は、使用時において、屈曲部において相互に接触可能で、先端部において離隔する。
【００１８】
この構成により、すし類をつかむときに、屈曲部を中心として圧力をかけることができるので、弱い力でもつかみやすい。結果としてすし類が割れることを防止できる。
【００１９】
本考案の第３の考案に係るすし箸では、第１から第２のいずれかの考案に加えて、屈曲部は、第１棒状体と第２棒状体のそれぞれの先端部から２ｃｍ〜３ｃｍの範囲に位置し、屈曲部の屈曲角度は、第１棒状体および第２棒状体に対して２５度から３５度である。
【００２０】
この構成により、通常の使用状態であれば、すし箸の屈曲部より先の部分が、すし類の側面および底面のそれぞれに対して平行となりやすい。また、すし類のサイズに適しているので、すし類を壊すことも無く、行儀作法上の見た目も適切である。
【００２１】
以下、図面を参照しながら、本考案の実施の形態を説明する。
【００２２】
（全体概要について）
図１は、本考案の実施の形態におけるすし箸の斜視図である。図１では、角形を有したすし箸が示されている。
【００２３】
すし箸１は、棒状である（あるいは角柱や角材状である）第１棒状体２と第２棒状体３の組を備えている。一対の第１棒状体２と第２棒状体３の組み合わせにより、すし類をつかむのに適したすし箸としての機能を有する。
【００２４】
第１棒状体２と第２棒状体３のそれぞれは食物に接する先端部５、６と、先端部５、６と逆側の端部である後端部７、８を有する。
【００２５】
図１より明らかな通り、すし箸１を構成する第１棒状体２と第２棒状体３のそれぞれは、屈曲部４からその先端が屈曲している。更に、弾性体１５により第１棒状体２と第２棒状体３同士が接続されている。接続において、第１棒状体２と第２棒状体３の対向面同士が接続されており、屈曲している先端は、同一方向を向くように固定される。このため、すし箸１を使用すると、すし箸１の屈曲部４より先の部分が、自然にすし類の側面に沿って平行にあたるようになる。このため、すし類を広い面積で固定することができる。従来の箸のように、箸の先端のみでしかもすし類の斜め方向にすし類を固定する場合と異なり、すし類、特にしゃりの特定の部分に圧力がかかりすぎることがなくなる。このため、従来の箸と異なりしゃりを割ってしまうことがない。
【００２６】
このため、使用者は、同一方向を向くように固定された屈曲した先端を、すし類の側面に沿って平行に添えて、容易かつ確実にすし類をつかむことができる。
【００２７】
以下、各部の詳細について説明する。
【００２８】
（第１棒状体と第２棒状体について）
第１棒状体２および第２棒状体３のそれぞれは、木材、竹材、樹脂などで形成される。いずれも角形あるいは角柱状の形状を有しており、先端が屈曲していることと第１棒状体２と第２棒状体３とが弾性体１５で接続されていること以外は、通常の箸と大差ない。
【００２９】
（第１棒状体と第２棒状体の接続について）
第１棒状体２および第２棒状体３は、握り部１３、１４付近で弾性体１５により接続されている。弾性体１５は、略逆Ｕ字型をしており、第１棒状体２と第２棒状体３の一対の対向面の一方の面１６に、略逆Ｕ字型の一端１８が固着されており、対向面の他方の面１７に、略逆Ｕ字型の他端１９が固着されている。このように、第１棒状体２と第２棒状体３のそれぞれは、一対の対向面において略逆Ｕ字型の弾性体１５により接続されている。
【００３０】
この構成により、すし箸１を構成する一対の第１棒状体２と第２棒状体３の向きは、特定方向に固定される。すなわち、すし箸１を使用する際に（あるいは配膳する際においても）、第１棒状体２と第２棒状体３とが互い違いの向きになったりすることがない。
【００３１】
弾性体１５は、板ばねや棒ばねなどから構成され、第１棒状体２と第２棒状体３の先端部５、６を拡げ、後端部７、８を狭める弾性力をすし箸に及ぼす。言い換えると、すし箸１が放置されている場合には、第１棒状体２の先端部５と第２棒状体３の先端部６とを広げ、第１棒状体２の後端部７と第２棒状体３の後端部８とを狭めるように、弾性体１５は、第１棒状体２と第２棒状体３を接続する。
【００３２】
この構成により、使用者がすし箸１を使用してすし類をつかむ際には、使用者からのつかむ力に対向する弾性力が常に生じているので、すし類を強く握りすぎてしゃりを割ってしまう心配がない。また不使用時には、先端部５、６が常に開いているので、衛生面でも好適である。また、使用者は、弾性力に対抗してすし箸１の先端部５、６を近づける動作を行えばいいだけであり、容易に使用できる。
【００３３】
以上のように、弾性体１５は、すし箸１を構成する第１棒状体２と第２棒状体３とを接続するだけでなく、第１棒状体２と第２棒状体３の先端（特に屈曲している部分）の方向性を揃えて固定する。更に、すし箸１の先端が広がると共に後端が狭まるように弾性力を与える。
【００３４】
（第１棒状体と第２棒状体の屈曲について）
第１棒状体２および第２棒状体３のそれぞれは、屈曲部４から先が屈曲している。すなわち、屈曲部４を基点として、第１棒状体２と第２棒状体３のそれぞれの先端が屈曲している。
【００３５】
第１棒状体２において、屈曲部４から先端部５までが第１把持部９であり、第２棒状体３において、屈曲部４から先端部６までが第２把持部１０である。また同様に、第１棒状体２において、屈曲部４から後端部７までが第１本体部１１であり、屈曲部４から後端部８までが第２本体部１２である。また、第１本体部１１と第２本体部１２のそれぞれは、使用者が握る部位を示す握り部１３、１４を有している。
【００３６】
使用者は、握り部１３、１４付近においてすし箸１を握り、第１把持部９と第２把持部１０の部位を用いてすし類をつかむ。
【００３７】
ここで、第１棒状体２の前端縁２１と第２棒状態３の前端縁２２が形成する仮想平面（すなわち、使用者がすし箸を握った場合に使用者の視線によって貫かれる面）に対して、第１棒状体２と第２棒状体３の先端は、上方かつ同一方向に屈曲している。このような屈曲により、弾性体１５で接続されている第１棒状体２と第２棒状体３の先端は、常に同一方向であって上方に向いて屈曲する。このため、第１把持部９と第２把持部１０のそれぞれは、常に仮想平面から突出するようにして同一方向をむくことになり、それぞれが互い違いの方向を向くことがない。あるいは、使用時にすし箸１の横方向に第１把持部９と第２把持部１０が向くようになることもない。このため、使用者は常に第１把持部９と第２把持部１０を一対にして、すし類をつかむことができる。
【００３８】
このように、実施の形態１におけるすし箸１では、第１棒状体２と第２棒状体３の一対の対向面が弾性体１５により接続されることと、第１棒状体２と第２棒状体３との前端縁が形成する仮想平面に対して上方であって同一方向に向けて、先端部５，６が屈曲することとにより、使用時にすし箸１が食物を自然につかむ方向に第１把持部９と第２把持部１０が突出するようになる。
【００３９】
また、第１把持部９と第２把持部１０のそれぞれは、ほぼ同一方向を向き、相互にほぼ平行にならぶような状態である。
【００４０】
このため、実施の形態におけるすし箸１は、従来技術と異なり、先端部５、６が互い違いの方向を向いたり、第１把持部９と第２把持部１０の方向がそろわなかったりなどの問題が（すし箸１の不使用時、配膳時、使用時のいずれであっても）生じない。このため、使用者は、すし箸１を用いて確実かつ容易にすし類をつかむことができる。
【００４１】
言い換えると、すし箸１は、不使用時、配膳時、使用時のいずれの場合においても、第１棒状体２と第２棒状体３のそれぞれが互い違いの方向を向くことがない。更に、使用時においては、第１棒状体２と第２棒状体３のそれぞれの先端部５、６にいたる第１把持部９と第２把持部１０とが、すし箸１が食物に向かう方向であって同一方向に、確実に向く。加えて第１棒状体２と第２棒状体３のそれぞれの先端の一部のみが屈曲していることで、すし類を側面に沿ってつかむことができ、使用者は、確実にすし類をつかむことができる。すなわち、使用者が普通にすし箸１を握れば、すし類の側面に沿うように、第１把持部９と第２把持部１０を適切な力で押し当てることができ、すし類（とくにしゃり）を割ったり崩したりすること無く、すし類をつかむことができる。従来の箸のように先端だけがすし類に対して斜めに添えられる場合には、しゃりの特定部位に加わる圧力が大きすぎて、しゃりが割れたりしやすかった。実施の形態のすし箸１は、この問題を解決できる。また、特許文献１の箸において生じうる、箸の向きが互い違いになる問題も解決できる。
【００４２】
更に、すし箸１の先端部だけが屈曲しているので、見た目も見苦しくなく、行儀座法への影響も少ない。この点でも、特許文献１をはじめとする従来技術の問題を解決できている。
【００４３】
（他の態様）
なお、すし箸１の使用時において、第１棒状体２と第２棒状体３のそれぞれは、屈曲部４において相互に接触可能であり、先端部５、６はそれぞれ離隔していることも好適である。屈曲部４において相互に接触しつつも先端部５，６において離隔していることで、使用者は力を与えやすく、弱い力でも、すし類を的確につかむことができるからである。
【００４４】
また、屈曲部４は、第１棒状体２および第２棒状体３のそれぞれの先端部５、６から２ｃｍ〜３ｃｍの範囲にあることが好ましい。このような位置で、第１棒状体２と第２棒状体３とが屈曲することで、第１把持部９と第２把持部１０のそれぞれは、２ｃｍ〜３ｃｍの長さを有することになる。握り寿司や巻き寿司などのすし類の長さは、概ね２、３ｃｍ〜５、６ｃｍ程度であり、第１把持部９と第２把持部１０のそれぞれが２ｃｍ〜３ｃｍの長さを有していれば、すしのかなりの部分を支えることができると共に、すしのサイズを越えることもないので、使用者は、通常の力ですしをつかめ、すしをこわすこともない。
【００４５】
例えば、第１把持部９と第２把持部１０が２ｃｍよりも小さい場合には、すしのサイズに対して非常に小さな把持部分となってしまい、狭い部位に力が強く与えられてすしが割れたりする。逆に、第１把持部９と第２把持部１０が３ｃｍよりも大きい場合には、すしのサイズを超えてしまうこともありえ、すしを側面から分断してしまう力がかかって、やはりすしが割れたりつぶれたりする。このような点からも、第１棒状体２および第２棒状体３の先端部から２ｃｍ〜３ｃｍの範囲に、屈曲部４が設けられることが好適である。なお、屈曲部４の位置は概ねの目安であって、使用者や対象となるすしの形状やサイズによって、屈曲部４の位置が適宜定められれば良い。
【００４６】
また、屈曲部４は、第１棒状体２および第２棒状体３に対して、２５度から３５度の屈曲角度を有していることも好ましい。
【００４７】
この程度の屈曲角度を有していることで、使用者がすし箸１を握ったときに、卓上においてあるすし類に対して、第１把持部９と第２把持部１０とがすし類の側面にほぼ平行にあたるようになる。このため、第１把持部９と第２把持部１０のそれぞれの全体によって、使用者は、すし類をその側面に沿って確実につかむことができる。
【００４８】
（他の形態について）
また、図１においては、第１棒状体２と第２棒状体３とが角形もしくは角材状を有しているすし箸１を説明したが、第１棒状体２と第２棒状体３とがそれぞれ円柱状を有していてもよい。図２には、円柱状を有する第１棒状体２と第２棒状体３から構成されるすし箸１が示されている。
【００４９】
図２は、本考案の実施の形態におけるすし箸の別形態をしめす斜視図である。
【００５０】
図１と同じ符号を付した要素については、説明を省略する。
【００５１】
第１棒状体２および第２棒状体３は、それぞれ円柱状を有している。弾性体１５は、円柱状を有する第１棒状体２と第２棒状体３との一対の対向面に、一端１８と他端１９を固着している。弾性体１５は、略逆Ｕ字型をしており、すし箸１が放置された状態では、先端部５，６を拡げるようにし、後端部７，８を狭めるようにして、第１棒状体２と第２棒状体３を接続している。
【００５２】
先端部５、６は、屈曲部４を基点とし、第１棒状体２と第２棒状体３との前端縁が形成する仮想平面に対して、上方かつ同一方向に屈曲している。屈曲により、仮想平面に対して上方かつ同一方向に突出する第１把持部９と第２把持部１０が形成される。
【００５３】
このため、すし箸１は、不使用時、配膳時、使用時のいずれの場合においても、第１棒状体２と第２棒状体３のそれぞれが互い違いの方向を向くことがない。更に、使用時においては、第１棒状体２と第２棒状体３のそれぞれの先端部５、６にいたる第１把持部９と第２把持部１０とが、すし箸１が食物に向かう方向であって同一方向に確実に向く。加えて第１棒状体２と第２棒状体３のそれぞれの先端の一部のみが屈曲していることで、すし類を側面に沿ってつかむことができ、使用者は、確実にすし類をつかむことができる。
【００５４】
このように、第１棒状体２と第２棒状体３とが円柱状を有している場合であっても、図１に示されるすし箸１と同じ作用を得ることができる。
【００５５】
（使用態様）
次に、すし箸１の使用態様について図３〜図５を用いて説明する。
【００５６】
図３、図４は、本考案の実施の形態におけるすし箸の使用状態を説明する概念図である。図５は、本考案の実施の形態におけるすし類に第１把持部と第２把持部が添えられていることを示す断面図である。
【００５７】
図３は、使用者がすし箸１を握り、皿に載せられた握り寿司３０をつかもうとしている様子を示している。すし箸１は、一対の第１棒状体２と第２棒状体３を備えてなり、第１棒状体２と第２棒状体３とは、一対の対向面において弾性体１５により接続されている。また、第１棒状体２と第２棒状体３とのそれぞれは、屈曲部４においてその先端が屈曲している。屈曲部４より先端部５にかけての第１把持部９と屈曲部４より先端部６にかけての第２把持部１０とが、握り寿司３０をつかむ部位になる。
【００５８】
通常、握り寿司の盛られた皿は、使用者の目線よりも低く、使用者の腰と胸の間くらいの位置にある。このような位置にある皿に対して、すし箸１を向けると、すし箸１の第１本体部１１と第２本体部１２は、使用者から皿にかけて斜め下に向かうような角度になる。第１本体部１１と第２本体部１２が、斜め下方向の角度を有すると、屈曲部４から屈曲している第１把持部９と第２把持部１０は、皿に対してほぼ平行になる。このとき、弾性体１５は、第１棒状体２と第２棒状体３との一対の対向面を固定するように接続している。加えて、第１棒状体２と第２棒状体３との前端縁が形成する仮想平面に対して、上方であってかつ同一方向に、先端部５、６は屈曲している。すなわち、図３に示されるように、使用者がすし箸１を向ける方向に、第１把持部９と第２把持部１０の両方がそろって突出することになる。このため、使用者は特別な力も特別な技術も要さず、必ず第１把持部９と第２把持部１０とがそろって（略平行に）握り寿司３０に添えられるようになる。
【００５９】
次に、図４に示されるように、使用者は、第１把持部９と第２把持部１０のそれぞれを握り寿司３０の両側面のそれぞれに添える。添えた上で、握り寿司３０をつかんで持ち上げる。
【００６０】
このとき、図３に示されるように、第１把持部９と第２把持部１０のそれぞれは、自然に皿に対しても平行であり、握り寿司３０の側面に対しても平行である。このため、使用者は、握り寿司３０のしゃり部分の両側面のそれぞれに、第１把持部９と第２把持部１０のそれぞれを平行に押し当てることができる。
【００６１】
図４に示されるように、すし箸１の屈曲した先端である第１把持部９と第２把持部１０とは、しゃりの側面に沿って当てられている。握り寿司３０の断面においては、図５に示されるように、第１把持部９と第２把持部１０のそれぞれが、握り寿司３０のしゃりの部分に押し当てられている。
【００６２】
このように、しゃりと接するすし箸１の面積が広いことで（第１把持部９と第２把持部１０が形成する面積は、少なくともしゃりと接する）、しゃりの特定部分に圧力がかかりすぎることがない。加えて、しゃりの長手方向に沿って第１把持部９と第２把持部１０が添えられるので、しゃりが割れにくい（当然ながら短手方向に箸が添えられる場合には、しゃりが割れやすい）。
【００６３】
更に、弾性体１５は、すし箸１の先端部５、６を広げるような弾性力を及ぼすので、使用者が握り寿司３０をすし箸１でつかんでいる間でも、すし箸１の先端部５，６（第１把持部９、第２把持部１０）を拡げようとする弾性力がある。このため、握り寿司３０にかかる圧力は、程よいバランスとなり、使用者が強くつかみすぎることもない。この点からも、しゃりが割れにくくなる。
【００６４】
以上のように、実施の形態におけるすし箸１により、使用者は自然な状態であって特別な力や技術を要せず、容易かつ確実にすし類をつかむことができる。特に、握り寿司のしゃりが割れたりすることがほとんどなくなるので、すしを食するときに不快な思いをすることもなくなり、すしの美味しさを堪能することができる。
【産業上の利用可能性】
【００６５】
本考案は、握り寿司を中心としたすし類を食するときに、壊したりすることなくすし類をつかむことができる箸などの用途に適用できる。
【図面の簡単な説明】
【００６６】
【図１】本考案の実施の形態におけるすし箸の斜視図
【図２】本考案の実施の形態におけるすし箸の別形態をしめす斜視図
【図３】本考案の実施の形態におけるすし箸の使用状態を説明する概念図
【図４】本考案の実施の形態におけるすし箸の使用状態を説明する概念図
【図５】本考案の実施の形態におけるすし類に第１把持部と第２把持部が添えられていることを示す断面図
【符号の説明】
【００６７】
１    すし箸
２    第１棒状体
３    第２棒状体
４    屈曲部
５、６    先端部
７、８    後端部
９    第１把持部
１０    第２把持部
１１    第１本体部
１２    第２本体部
１３、１４    握り部
１５    弾性体
１６、１７    対向面
１８    一端
１９    他端
２１、２２    前端縁
【図１】
0003142220.tif 000003
【図２】
0003142220.tif 000004
【図３】
0003142220.tif 000005
【図４】
0003142220.tif 000006
【図５】
0003142220.tif 000007